(57)【要約】【課題】筒状の外箱からトレー状の中舟が離脱しない、外箱と中舟との間の係止構造が簡単であって、作製費用が廉価あり、充填包装ラインにも適応できるスライド式カートンを提供することにある。【解決手段】本発明は、外箱側板、外箱上板、外箱側板、外箱下板、外箱糊代板を、順に連設して、外箱側板と外箱糊代板を貼り合わせて形成した前後端が開放された筒状の外箱に、側板、上板、側板、下板からなる胴部の前後開放端部が、前板と後板とで閉鎖された直方体の中箱が収納されるスライド式カートンにおいて、中箱の外箱内のスライド可能幅を規制するために、外箱の前端辺に外箱係止片を設け、外箱の裏面側に折り返して形成し、中箱には、外箱係止片に対応して、中箱係止片を設けたことを特徴とするスライド式カートンであり、外箱係止片を、外箱上板の前端辺、または、外箱側板の前端辺に連設し、裏面側に折り返して設けたことを特徴とする。【選択図】図１
2006001615.tif 000002
【特許請求の範囲】
【請求項１】
折れ線を介してそれぞれ長方形状の、外箱側板、外箱上板、外箱側板、外箱下板、外箱糊代板を、順に連設して、前記外箱側板と前記外箱糊代板を貼り合わせて形成した前後端が開放された筒状の外箱に、側板、上板、側板、下板からなる胴部の前後開放端部が、前板と後板とで閉鎖された直方体の中箱がスライド可能に収納されるスライド式カートンにおいて、
前記中箱の前記外箱内のスライド可能幅を規制するために、前記外箱の前端辺に外箱係止片を設け、前記外箱の裏面側に折り返して形成し、前記中箱には、前記外箱係止片に対応して、中箱係止片を設けたことを特徴とするスライド式カートン。
【請求項２】
前記外箱係止片を、前記外箱上板の前端辺に連設し、前記外箱上板の裏面側に折り返して設けたことを特徴とする請求項１に記載のスライド式カートン。
【請求項３】
前記外箱係止片を、前記外箱側板の前端辺に連設し、前記外箱側板の裏面側に折り返して設けたことを特徴とする請求項１に記載のスライド式カートン。
【請求項４】
前記中箱係止片を前記後板に折れ線を介して設けたことを特徴とする請求項１〜３のいずれかに記載のスライド式カートン。
【請求項５】
前記中箱係止片を前記側板に折れ線を介して設けたことを特徴とする請求項１〜３のいずれかに記載のスライド式カートン。
【請求項６】
前記中箱の前記胴部の所定の位置に振り出し口又は取り出し口を設けたことを特徴とする請求項１〜５のいずれかに記載のスライド式カートン。
【発明の詳細な説明】
【技術分野】
【０００１】
本発明は、筒状の外箱と直方体の中箱からなり、外箱の中に挿入された中箱が必要以上に飛び出さないように、外箱と中箱との間に係止構造が設けられているスライド式カートンに関するものである。
【背景技術】
【０００２】
従来から、菓子、食品等を収納する、前後面を開放した四角筒状の外箱に、内容物を取り出す振り出し口を設けた直方体の中箱を、挿入した形状のスライド式カートンが、カートン形態の一つとして広く使用されている。
【０００３】
また、このスライド式カートンの形状では、外箱から中箱をスライドさせて中箱の中に収納した内容物を取出す時に、中箱が必要以上に外箱から飛び出し、さらには、外箱から抜け出てしまうという問題がある。従って、中箱が必要以上に外箱から飛び出さないように、外箱と中箱との間に係止構造が設けられている形状が多く提案されている（例えば、特許文献１参照。）。
【特許文献１】特開平９−２８６４３１号公報
【発明の開示】
【発明が解決しようとする課題】
【０００４】
しかしながら、係止機能および製造方法の点で必ずしも充分満足するものではなく、筒状の外箱から直方体の中箱が離脱しない、外箱と中箱との間の係止構造が簡単であって、作製費用が廉価あり、充填包装ラインにも適応できるスライド式カートンが要請されているものである。
【課題を解決するための手段】
【０００５】
本発明は、折れ線を介してそれぞれ長方形状の、外箱側板、外箱上板、外箱側板、外箱下板、外箱糊代板を、順に連設して、前記外箱側板と前記外箱糊代板を貼り合わせて形成した前後端が開放された筒状の外箱に、側板、上板、側板、下板からなる胴部の前後開放端部が、前板と後板とで閉鎖された直方体の中箱がスライド可能に収納されるスライド式カートンにおいて、前記中箱の前記外箱内のスライド可能幅を規制するために、前記外箱の前端辺に外箱係止片を設け、前記外箱の裏面側に折り返して形成し、前記中箱には、前記外箱係止片に対応して、中箱係止片を設けたことを特徴とするスライド式カートンであり、前記外箱係止片を、前記外箱上板の前端辺に連設し、前記外箱上板の裏面側に折り返して設けたこと、あるいは、前記外箱係止片を、前記外箱側板の前端辺に連設し、前記外箱側板の裏面側に折り返して設けたことを特徴とする。
【０００６】
また、前記中箱係止片を前記後板に折れ線を介して設けたこと、あるいは、前記中箱係止片を前記側板に折れ線を介して設けたことを特徴とする。さらに、前記中箱の前記胴部の所定の位置に振り出し口又は取り出し口を設けたことを特徴とするものである。
【発明の効果】
【０００７】
本発明のスライド式カートンにおいては、外箱の前端辺に外箱係止片を設け、この外箱係止片と対応する位置の中箱に連設して中箱係止片を設けたことによって、挿入した中箱を引き出した時に、外箱の外箱係止片と中箱の中箱係止片とが係止し、所定の位置以上は筒状の外箱から直方体の中箱が離脱することがなく、外箱と中箱との係止構造が簡単なスライド式カートンを得ることができるものである。
【０００８】
また、本発明のスライド式カートンにおいては、通常の打抜型を用いた打抜工程で、スライド式カートンの外箱と中箱とのブランクを作製することができ、それぞれ通常の製函工程で、量産が可能であり、作製費用が廉価なスライド式カートンを得ることができるものである。
【０００９】
さらに、外箱と中箱との間の係止構造が簡単であることからカートンの組み立てが容易であり、高速包装充填ラインに適応できるという効果を有するものである。
【発明を実施するための最良の形態】
【００１０】
以下、図面によって本発明によるスライド式カートンをさらに詳細に説明する。
【００１１】
図１は、本発明によるスライド式カートンの一実施形態を示す斜視図であり、機能を説明する図である。長方形状の、外箱側板２１、外箱上板２２、外箱側板２３、外箱下板２４からなり、外箱上板２２の前端辺に連設した外箱係止片２６を外箱上板２２の裏面側に折り返して形成した筒状の外箱２に、側板１１、下板１２、側板１３、上板１４からなる胴部の両開放端部が、前板１５と後板１６とで閉鎖され、後板１６に中箱係止片１８を連設し、上板１４側に折り曲げて形成した直方体の中箱１を挿入してなる本発明によるスライド式カートンＡの組み立てた状態を示している。図１−ａは、中箱１の収納位置を示し、図１−ｂは、中箱１を前方に押し出して、所定の位置までスライドさせた位置を示しており、この位置で振り出し口Ｐから適量の内容物を取り出した後、再度、図１−ａに示す収納位置にまで中箱１を押し戻すことができる。
【００１２】
本発明によるスライド式カートンＡの特徴的なポイントは、中箱１に設けた中箱係止片１８が、外箱係止片２６で係止されることにより、外箱２から中箱１が抜け落ちたり、必要以上にスライドしてしまうことがないことである。すなわち、外箱２から中箱１を引き出した場合、所定の距離を引き出した時に、図１−ｂに示すように、中箱１の後板１６に連設し、上板１４側に折り曲げた中箱係止片１８の前端が、外箱２の外箱上板２２に連設し、外箱上板２２の裏面側に折り返された外箱係止片２６で係止されることによって、中箱１のさらなる前方向へのスライドが防止されていることである。従って、この距離を越えて中箱１がスライドすることがなく、中箱１が外箱２から抜け落ちることを防ぐことができる。
【００１３】
図２は、本発明によるスライド式カートンＡの中箱１と外箱２のブランクの展開図である。中箱のブランク１０は、図２−ａに示すように、略矩形状の側板１１、下板１２、側板１３、上板１４、糊代片１４ａを折れ線ａ、ｂ、ｃ、ｄを介して順次連設している。また、下板１２の上辺には、折れ線ｅを介して前板１５を連設し、その前板１５には、折れ線ｇを介して差し込み片１５ａを連設し、一方、下板１２の下辺には、折れ線ｆを介して後板１６を連設し、その後板１６には、折れ線ｈを介して中箱係止片１８を連設している。また、上板１４の下辺には、折れ線ｉを介して後内板１７を連設している。さらに、側板１１の上辺および下辺、側板１３の上辺および下辺には、それぞれ折れ線ｊ、ｊ、ｊ、ｊを介して折り込み片１９、１９、１９、１９を連設している。さらにまた、側板１３の上部には、振り出し口Ｐを切り込みにより設けている。この振り出し口Ｐの位置、形状等は特に限定されるものではないが、外箱２から内箱１を引き出した時に、振り出し口Ｐが表出するよう適宜設定する。
【００１４】
外箱のブランク２０は、図２−ｂに示すように、全体が略矩形状であり、外箱側板２１、外箱上板２２、外箱側板２３、外箱下板２４、外箱糊代片２５を順次折れ線ｋ、ｌ、ｍ、ｎを介して連設している。そして、外箱上板２２の上辺には折れ線ｏを介して外箱係止片２６を連設している。この外箱係止片２６は、外箱に組み立てられた状態では、外箱上板２２の裏面側に位置しており、外箱上板２２の裏面に貼り合せて固定してもよい。また、外箱係止片２６の形状、位置、大きさは、中箱係止片１８を係止することができるように適宜設定する。
【００１５】
図３は、本発明によるスライド式カートンＡの中箱１と外箱２の斜視図である。中箱１は、図３−ａに示すように、完成時の実際の形状は直方体である。本発明によるスライド式カートンＡの中箱１を成形するには、まず、中箱１のブランク１０を折れ線ａ、ｃで三つ折りし、糊代片１４ａと側板１１を接着させて得られるフラットに折り畳まれた中箱１を角柱状に起こし、つぎに、天側開放端部を前板１５、底折り込み片１９、１９、差し込み片１７により封止し、さらに、底側開放端部を後板１６、後内板１７、折り込み片１９、１９、中箱係止片１８により封止して組み立てることができる。この場合、後板１６と後内板１７とを貼り合せてもよく、また、中箱係止片１８を上板１４上に折り曲げて貼り合わせてもよい。この中箱係止片１８の先端部が係止構造の重要な構成要素となる。
【００１６】
外箱２は、図３−ｂに示すように、角柱状であって、その成形は、外箱２のブランク２０を折れ線ｉ、ｋで三つ折りし、外箱糊代板２５と外箱側板２１を接着させて得られるフラットに折り畳まれた外箱２を角柱状に起こせばよい。この外箱上板２２には外箱係止片２６が連設されており、起こした状態で外箱上板２２の裏面側に位置し、中箱１の中箱係止片１８を係止し、係止構造の重要な構成要素となっている。この外箱上板２２の裏面側に折り返された外箱係止片２６は、外箱上板２２の裏面に貼り合わせてもよい。なお、この係止構造は、外箱上板２２の裏面側にあって、通常の板紙をブランク基材として使用する場合には表面からは目視できない。
【００１７】
また、本発明によるスライド式カートンＡの中箱１の形状としては、上記の形態に限定されることなく、本発明の要旨を逸脱しない範囲内で種々の変形が可能である。
【００１８】
例えば、図４−ａに示すように、ブランク１０から組み立てて、後板１６に連設した中箱係止片１８は中箱１内に差し込む差し込み片とし、上板１４の下辺に連設した後内板１７を上板１４の表面側に折り返して中箱係止片とした形状の中箱１ａとすることもできる。
【００１９】
また、図４−ｂに示すように、中箱係止片１８を側板１１の一部に連設して設け、上板１４の表面側に折り曲げた形状の中箱１ｂとすることもできる。
【００２０】
また、図４−ｃに示すように、糊代片１４ａを側板１１に連設し、中箱係止片１８を上板１４の一部に連設して設け、上板１４の表面側に折り返した形状の中箱１ｃとすることもできる。
【００２１】
また、図４−ｄに示すように、糊代片１４ａを側板１１に連設し、上板１４の表面側で貼り合わせて筒状の胴部とし、中箱係止片１８を糊代片１４ａの下辺に設け折り返した形状の中箱１ｄとすることもできる。
【００２２】
また、図４−ｅに示すように、中箱１の胴部を形成する側板１１、下板１２、側板１３、上板１４のいずれかの板内に切り込みを入れ一辺を折れ線ｐで残した形状の中箱係止片１８を設け、この中箱係止片１８を表面側に折り返した形状の中箱１ｅとすることもできる。
【００２３】
また、本発明によるスライド式カートンＡの外箱２の形状としても、上記の形態に限定されることなく、本発明の要旨を逸脱しない範囲内で種々の変形が可能である。
【００２４】
例えば、図５−ａに示すように、外箱上板２２の上辺の一部に外箱係止片２６を設けた形状の外箱２ａとすることができる。このように、外箱上板２２の上辺の一部に外箱係止片２６を設けることにより、省スペースによる材料の削減が計れる。
【００２５】
また、図５−ｂに示すように、外箱上板２２の上辺の一部を一段下げた形状の外箱２ｂとすることができる。このように、外箱上板２２の上辺の一部を一段下げた辺に外箱係止片２６を設けることにより、省スペースによる材料の削減が計れ、また、中箱１を外箱２ｂから引き出しやすくなり、かつ、開口部が拡がり内容物も取り出しやすくなる。
【００２６】
また、図５−ｃに示すように、外箱係止片２６の両側辺または一側辺に外箱係止側片２６ａを連設した形状の外箱２ｃとすることができる。このように、外箱係止側片２６ａを設けることにより、外箱係止片２６を外箱上板２２の裏面に貼り合わせない状態でも、固定されて、中箱１を外箱２ｃに確実に係止することができる。
【００２７】
また、外箱２を開放された両端の後方を封止した有底の筒状としてもよい。（図は省略する）
【００２８】
なお、上記のスライド式カートンＡでは、外箱２と中箱１が共に、四角柱形状の直方体の場合を説明しているが、四角柱形状以外の三角柱形状、六角形状等の多角柱形状とすることもできる。
【００２９】
本発明のスライド式カートンのブランク基材には、広範囲の板紙の使用が可能であるが、剛度が有り、耐折強度の強い、カード系、特板系が好適に使用できる。また長期にわたり使用する場合には折れ線や切れ目線等からの破壊等を起きにくくするために、ポリ塩化ビニル、ポリプロピレン、ポリエチレン、ポリエチレンテレフタレート、ポリカーボネート、ポリスチレン等のフィルムを板紙にラミネートするとよい。また、このラミネートによって防湿性の向上を図ることもできる。さらに、板紙に代わって、プラスチックシートをブランク基材に使用してもよい。例えば、タルク等のフィラーを混入して不透明にしたポリプロピレンシート、アモルファスポリエチレンテレフタレート等のシートをそのままブランク基材として使用することができる。また、内容物によっては透明プラスチックシートを使用して、中身を見せるようなスケルトン型にしてもよい。
【００３０】
また、ブランク基材への印刷にはオフセット、グラビア、シルクスクリーン等のいかなる周知の印刷方法を用いてもよい。またエンボス、箔押し、ＯＰニスコート等の後加工を行ってもよい。これら印刷及び後加工は板紙あるいはプラスチックのシート状での加工であるため美しい、迫力のあるシャープな仕上がりとなる。なお、本発明によるスライド式カートンには密封性を上げ、また塵埃の混入防止のため、成形充填後にスライド式カートン全体を防湿性プラスチックフィルムでオーバーラップすることが好ましい。
【実施例】
【００３１】
つぎに、本発明の紙カップについて実施例をあげて、さらに具体的に説明する。なお、本発明はこれによって限定されるものではない。
【００３２】
外箱側板２３の前端辺に外箱係止片２６を連設し、その外箱係止片２６を外箱側板２３の裏面側に折り返して形成すると共に、外箱側板２３の下辺にも外箱係止片２７を連設し、その外箱係止片２７を外箱側板２３の裏面側に折り返して形成した外箱２に、外箱２の外箱側板２３と対応する側板１１の上辺の両端から所定の距離を持つ位置に中箱係止片１８を設け、その中箱係止片１８を表面側に折り返して形成した中箱１を挿入してなる本発明によるスライド式カートンＢの組み立てた状態を示している。図６−ａは、中箱１の収納位置を示し、図６−ｂは、中箱１を前方に押し出して、所定の位置までスライドさせた位置を示している。このように、外箱側板２３の前端辺と後端辺に外箱係止片２６、２７を設けることにより、中箱１が外箱２の上方から抜け出すのを防ぐと共に、下方からも抜け出すことを防ぐことができる。
【産業上の利用可能性】
【００３３】
本発明によるスライド式カートンは、菓子、食品等を収納するカートン形態の一つとして広く使用することができる。
【図面の簡単な説明】
【００３４】
【図１】本発明によるスライド式カートンの一実施形態を示す斜視図および機能説明図である。
【図２】本発明によるスライド式カートンの中箱と外箱のブランクを示す展開図である。
【図３】本発明によるスライド式カートンの中箱と外箱を示す斜視図である。
【図４】本発明によるスライド式カートンの中箱の他の例を示す斜視図である。
【図５】本発明によるスライド式カートンの外箱の他の例を示す斜視図である。
【図６】本発明によるスライド式カートンの一実施例を示す斜視図および機能説明図である。
【符号の説明】
【００３５】
Ａ    本発明によるスライド式カートン
Ｂ    本発明によるスライド式カートン
１    中箱
１０    ブランク（中箱）
１１    側板
１２    下板
１３    側板
１４    上板
１５    前板
１５ａ  差し込み片
１６    後板
１７    後内板
１８    中箱係止片
１８ａ  中箱係止側片
１９    折り込み片
２    外箱
２０    ブランク（外箱）
２１    外箱側板
２２    外箱上板
２３    外箱側板
２４    外箱下板
２５    外箱糊代板
２６    外箱係止片
ａ〜ｐ  折れ線
Ｐ    振り出し口
【図１】
2006001615.tif 000003
【図２】
2006001615.tif 000004
【図３】
2006001615.tif 000005
【図４】
2006001615.tif 000006
【図５】
2006001615.tif 000007
【図６】
2006001615.tif 000008